(57)【特許請求の範囲】
【請求項１】
内部に測定流体を流すと共に、内壁面と電極部を構成する開口部分の外側位置まで打張りしたライニングを有する測定管と、前記開口部を囲むように外側に突出形成したボスとを備え、
前記測定管に設けた電極部は、
前記開口部に外側から挿入して前記ライニング面でシールすると共にその端部が測定流体に臨むように配設する電極と、
該電極を常時測定流体方向に押圧するバネと、
該バネに付勢力を与えると共に上部を開口とした第１の絶縁カバーと、
この第１の絶縁カバーの上部から前記ボスの内周壁面に係合して被せる電極キャップと、
この電極キャップと前記第１の絶縁カバーの開口部分に挿入してなる中空筒形状の第２の絶縁カバーと、
この第２の絶縁カバーに挿入され先端部分を前記電極の上部端に圧入係合させて電気的に接続させ前記電極と前記バネと前記第１の絶縁カバーと前記第２の絶縁カバーとを前記電極キャップと一体化し前記第２の絶縁カバー側端に鍔部を有する電極ポストと
からなる電磁流量計の電極構造。
【請求項２】
内部に測定流体を流すと共に、内壁面と電極部を構成する開口部分の外側位置まで打張りしたライニングを有する測定管と、前記開口部を囲むように外側に突出形成したボスとを備え、
前記測定管に設けた電極部は、
前記開口部に外側から挿入して前記ライニング面でシールすると共にその端部が測定流体に臨むように配設する電極と、
該電極に係合する絶縁ワッシャーと、
この絶縁ワッシャーに係合させると共に前記ボスの内周壁面に係合して被せる電極キャップと、
この電極キャップと前記絶縁ワッシャーの開口部分に挿入してなる中空筒形状の絶縁カバーと、
この絶縁カバーに挿入され先端部分を前記電極の上部端に圧入係合させて電気的に接続させて前記電極と前記絶縁ワッシャと前記絶縁カバーとを前記電極キャップと一体化し前記絶縁カバー側端に鍔部を有する電極ポストと
からなる電磁流量計の電極構造。
【発明の詳細な説明】
【０００１】
【発明の属する技術分野】
本発明は、電磁流量計の電極構造に関し、詳しくは、電極を構成する各部品をモジュール化して、電極を含む部品の着脱を容易にした電磁流量計の電極構造に関する。
【０００２】
【従来の技術】
従来技術における電磁流量計の電極構造は、図３に示すように、内部に導電性の測定流体が流される内張りされたライニング３２を有する測定管３１と、この測定管３１の一部を開口した構造にしてライニング３２を開口部分壁面まで内張りした構造の電極部３３と、開口部を囲むようにして外側方向に突出させて形成したボス３４と、ボス３４の中央部であって開口部分に測定管の内壁面まで貫通させ、先端部分を測定流体に接触するように露出してなる略十字形状の電極３５と、十字形状の電極３５上部から被せる絶縁キャップ３６と、絶縁キャップ３６の上部端部に圧接するように配置したバネ３７と、このバネ３７の上部からバネ３７に付勢力をつけるようにして上部から被せると共にボス３４の内周面に接合させて係合係止する電極キャップ３８とからなる。
【０００３】
このような構造の電磁流量計の電極構造は、先ず、開口部分に設けたボス３４の中に電極３５を取り付け、その上部に絶縁キャップ３６を被せ、その絶縁キャップ３６の上部にバネ３７を載せ、電極キャップ３８を被せることにより電極部３３が完成する。
【０００４】
又、この電極３５を交換する際には、電極キャップ３８をボス３４からバネ３７の付勢力に注意しながら序々に外し、絶縁キャップ３６をとり、次に、電極３５を取り出して交換する。
【０００５】
【発明が解決しようとする課題】
しかしながら、従来技術で説明した電磁流量計の電極構造は、電極を含めた各部品が独立した構造となっているため、取り外すと、各部品がバラバラになってしまい、現場においては部品紛失等の問題が発生する。
【０００６】
従って、電磁流量計の電極構造において、取り外し等を行っても、各部品がバラバラにならないで、部品の紛失等を防止できる構造に解決しなければならない課題を有する。
【０００７】
【課題を解決するための手段】
上記課題を解決するために、本発明に係る電磁流量計の電極構造は、次に示す構成にすることである。
【０００８】
（１）内部に測定流体を流すと共に、内壁面と電極部を構成する開口部分の外側位置まで打張りしたライニングを有する測定管と、前記開口部を囲むように外側に突出形成したボスとを備え、前記測定管に設けた電極部は、前記開口部に外側から挿入して前記ライニング面でシールすると共にその端部が測定流体に臨むように配設する電極と、該電極を常時測定流体方向に押圧するバネと、該バネに付勢力を与えると共に上部を開口とした第１の絶縁カバーと、この第１の絶縁カバーの上部から前記ボスの内周壁面に係合して被せる電極キャップと、この電極キャップと前記第１の絶縁カバーの開口部分に挿入してなる中空筒形状の第２の絶縁カバーと、この第２の絶縁カバーに挿入され先端部分を前記電極の上部端に圧入係合させて電気的に接続させ前記電極と前記バネと前記第１の絶縁カバーと前記第２の絶縁カバーとを前記電極キャップと一体化し前記第２の絶縁カバー側端に鍔部を有する電極ポストとからなる電磁流量計の電極構造。
【０００９】
（２）内部に測定流体を流すと共に、内壁面と電極部を構成する開口部分の外側位置まで打張りしたライニングを有する測定管と、前記開口部を囲むように外側に突出形成したボスとを備え、前記測定管に設けた電極部は、前記開口部に外側から挿入して前記ライニング面でシールすると共にその端部が測定流体に臨むように配設する電極と、該電極に係合する絶縁ワッシャーと、この絶縁ワッシャーに係合させると共に前記ボスの内周壁面に係合して被せる電極キャップと、この電極キャップと前記絶縁ワッシャーの開口部分に挿入してなる中空筒形状の絶縁カバーと、この絶縁カバーに挿入され先端部分を前記電極の上部端に圧入係合させて電気的に接続させて前記電極と前記絶縁ワッシャと前記絶縁カバーとを前記電極キャップと一体化し前記絶縁カバー側端に鍔部を有する電極ポストとからなる電磁流量計の電極構造。
【００１０】
このように、着脱する電極に対応する各部品をユニットにして、モジュール化することにより、電極を交換等する際に、各部品がバラバラにならないで着脱することが可能になる。
【００１１】
【発明の実施の形態】
次に、本発明に係る電磁流量計の電極構造の実施形態について、図面を参照して説明する。
【００１２】
本発明に係る第１の実施形態の電磁流量計の電極構造は、図１に示すように、内部に測定流体を流すと共に、内壁面と電極部１２を構成する開口部１３部分の外側位置まで打張りしたライニング１４を有する測定管１１と、この開口部１３を囲むように外側に突出形成したボス１５とを備えた構成になっている。
【００１３】、
測定管１１に設けた電極部１２は、開口部１３に外側から挿入してライニング面でシールすると共にその端部が測定流体に臨むように配設する略十字形状の電極１６と、この電極１６を常時測定流体方向に押圧するバネ１７と、このバネ１７に付勢力を与えると共に上部を開口とした第１の絶縁カバー１８と、中空円筒形状の第２の絶縁カバー１９内部に棒状の電極ポスト２０を介在させ、この電極ポスト２０の先端部分を電極１６の上部端に圧入係合させて電気的に接続させ、第１の絶縁カバー１８の開口部分に挿入してなる電極ユニット２１と、第１の絶縁カバー１８の上部からボス１５の内周壁面に係合して被せる電極キャップ２２と、ボス１５の上端部に被せるカバー２３とからなる。
【００１４】
電極ポスト２０の上部端には、導線２４をネジ２５で固定できる構造になっており、この導線２４は図示しない測定器に接続されている。
【００１５】
このような構造の電極ユニット２１においては、各部品を取り付けた状態で、電極ポスト２０を電極１６に圧入することにより取り付け、その間にある部品、例えば、バネ１７、第１の絶縁カバー１８、電極キャップ２２等は電極キャップ２２を緩めて電極１６を外す状態にしても各部品はバラバラにならない。このようなモジュール状態になった電極ユニット２１により、測定管１１に配管状態でも電極を簡単に取り付け、取り外しすることができるのである。又、部品がバラバラにならないため、現場での部品紛失等の問題もなくなる。
【００１６】
次に、本発明に係る第２の実施形態の電磁流量計の電極構造について、図２を参照して説明する。
【００１７】
第２の実施形態の電磁流量計の電極構造は、弾性力の強いライニング、例えばゴム、の場合は、バネを使わずに電極キャップで電極を押し付ける構造のものであり、それは、内部に測定流体を流すと共に、内壁面と電極部１２Ａを構成する開口部１３部分の外側位置まで打張りしたライニング１４を有する測定管１１と、この開口部１３を囲むように外側に突出形成したボス１５とを備えた構成になっている。
【００１８】、
測定管１１に設けた電極部１２Ａは、開口部１３に外側から挿入してライニング面でシールすると共にその端部が測定流体に臨むように配設する略十字形状の電極１６と、この電極１６に係合する絶縁ワッシャー２６と、中空円筒形状の絶縁カバー１９Ａ内部に棒状の電極ポスト２０を介在させ、この電極ポスト２０の先端部分を電極１６の上部端に圧入係合させて電気的に接続させる電極ユニット２１と、電極ユニット２１を中心位置に有し絶縁ワッシャー２６に係合させ且つボス１５の内周壁面に係合して被せる電極キャップ２２Ａと、ボス１５の上端部に被せるカバー２３とからなる。
【００１９】
電極ポスト２０の上部端には、導線２４をネジ２５で固定できる構造になっており、この導線２４は図示しない測定器に接続されている。
【００２０】
このような構造の電極ユニット２１においては、各部品を取り付けた状態で、電極ポスト２０を電極１６に圧入することにより取り付け、その間にある部品、例えば、絶縁ワッシャー２６、電極キャップ２２Ａ等は電極キャップ２２Ａを緩めて電極１６を外す状態にしても各部品はバラバラにならない。このようなモジュール状態になった電極ユニット２１により、測定管１１に配管状態でも電極１６を簡単に取り付け、取り外しすることができるのである。又、部品がバラバラにならないため、現場での部品紛失等の問題もなくなる。
【００２１】
【発明の効果】
上記説明したように、本発明に係る電磁流量計の電極構造は、各部品が取り付けた状態で、電極ポストを電極に圧入することにより、その間にある部品、例えばバネ、絶縁カバー、電極キャップ等は電極キャップを緩めて電極を取り外す状態にしても各部品がバラバラにならないため、電極の取り付けが簡単になり、且つ各部品の紛失等の問題を無くすことができるという効果がある。
【図面の簡単な説明】
【図１】本発明に係る第１の実施形態の電磁流量計の電極構造を示した断面図である。
【図２】本発明に係る第２の実施形態の電磁流量計の電極構造を示した断面図である。
【図３】従来技術における電磁流量計の電極構造の断面図である。
【符号の説明】
１１      測定管
１２      電極部
１２Ａ    電極部
１３      開口部
１４      ライニング
１５      ボス
１６      電極
１７      バネ
１８      第１の絶縁カバー
１９      第２の絶縁カバー
２０      電極ポスト
２１      電極ユニット
２２      電極キャップ
２２Ａ    電極キャップ
２３      カバー
２４      導線
２５      ネジ
【図１】
0003765407.tif 000002
【図２】
0003765407.tif 000003
【図３】
0003765407.tif 000004